(57)【要約】【課題】水がブロワモータ３０内に浸入し難いブロワ装置を提供する。【解決手段】ブロワ装置は、開口部２の周りのモータホルダ１に取りつけられモータ上部３０ａを覆うリング状カバー３と、回転軸に回転中心部が結合され下端部がモータホルダ１に接近するブロワファン５とを備えている。リング状カバー３は、周囲に複数の凹凸部６が形成されモータ上部３０ａを覆うスリーブ部３ｓと、スリーブ部３ｓの下端から連続してモータホルダ１の表面を覆うフランジ部３ｆと、フランジ部３ｆの周縁に形成された環状のスカート部３ｗとを備える。環状のスカート部３ｗは、モータホルダ１の環状溝部１ｍの中に圧入されている。【選択図】図１
2015214939.tif 000002
【特許請求の範囲】
【請求項１】
中心部に開口部（２）を有し、この開口部（２）の周りに環状溝部（１ｍ）を有するモータホルダ（１）と、
モータ上部（３０ａ）及び回転軸（４）が前記開口部（２）から突出するように、前記モータホルダに（１）に取り付けられたブロワモータ（３０）と、
前記開口部（２）の周りで、前記ブロワモータ（３０）の周囲を覆うように前記モータホルダ（１）に取りつけられるリング状カバー（３）と、
前記ブロワモータの上方で、前記回転軸（４）に回転中心部が結合されたブロワファン（５）と、を備え、
前記リング状カバー（３）は、前記ブロワモータ（３０）の周囲をリング状に覆うスリーブ部（３ｓ）と、
前記スリーブ部（３ｓ）の下端から連続して環状に延び、前記モータホルダ（１）の表面を部分的に覆うフランジ部（３ｆ）と、
前記フランジ部（３ｆ）から環状に突出し、前記環状溝部（１ｍ）に挿入されるスカート部（３ｗ）と、を備えることを特徴とするブロワ装置。
【請求項２】
前記スリーブ部（３ｓ）の周囲に環状に突出する庇部（６ｈ１、６ｈ２）が設けられていることを特徴とする請求項１に記載のブロワ装置。
【請求項３】
前記庇部（６ｈ１、６ｈ２）は上下方向に所定の間隔を空けて複数設けられていることを特徴とする請求項２に記載のブロワ装置。
【請求項４】
複数の前記庇部（６ｈ１、６ｈ２）のうち最下段の前記庇部（６ｈ２）は、その上の前記庇部（６ｈ１）よりも前記スリーブ部（３ｓ）からの突出長さが長く設定されていることを特徴とする請求項３に記載のブロワ装置。
【請求項５】
前記ブロワファン（５）は、前記ブロワファンの下面の一部をなし、前記回転軸に結合されるファン基部（５１）を有し、前記ファン基部（５１）は、外周に向かうほど下方に位置するように傾斜する傘状のスロープ部（５２）を有し、
前記スリーブ部（３ｓ）と前記スカート部（３ｗ）とは、前記スロープ部（５２）の外周縁（５２１）よりも内側に位置していることを特徴とする請求項１から４のいずれか一項に記載のブロワ装置。
【請求項６】
前記スリーブ部（３ｓ）は、前記モータ上部（３０ａ）を筒状に取り囲み、前記スリーブ部（３ｓ）の断面形状は、下側に行くほど肉厚が薄くなる楔状であり、前記スリーブ部（３ｓ）の内周部（３ｓ１）が前記回転軸（４）に対して傾斜しており、前記内周部（３ｓ１）が密接する前記モータ上部の外周部（３０１）も前記回転軸（４）に対して傾斜していることを特徴とする請求項１から５のいずれか一項に記載のブロワ装置。
【発明の詳細な説明】
【技術分野】
【０００１】
本発明は、ブロワモータの周囲にモータホルダを配置し、ブロワモータの回転軸にブロワを結合したブロワ装置において、モータホルダの表面からブロワモータに浸入する水を抑制するブロワ装置に関し、特に、車両用空調装置のブロワ装置に関する。
【背景技術】
【０００２】
従来、特許文献１に記載のブロワ装置がある。このブロワ装置は、ブロワケースの中にブロワファンを構成するシロッコファンが収納されている。ファンの回転中心にブロワモータの軸が結合されている。ブロワモータは、モータホルダに囲まれている。モータホルダは、ブロワケースと連結されている。ブロワケースは車体に取り付けられている。
【０００３】
ブロワファンは、車両室内からと車両外部とから空気を選択的に可動ダンパを介して取り入れ、ブロワファンの回転により空気流をブロワケースから車両用空調装置の空調ダクトに送り込む。空調ダクト内に配置された蒸発器やヒータで温度調整された空調風が車室内に吹出される。
【先行技術文献】
【特許文献】
【０００４】
【特許文献１】特開平１１−８２３８４号公報
【発明の概要】
【発明が解決しようとする課題】
【０００５】
特に車両外部から上記可動ダンパを介して取り入れた空気には雨水等を含むことがある。この水は、ブロワファンによって拡散され霧状となって、モータホルダからブロワモータの周囲に飛散する。ブロワモータは少なくとも回転軸がモータハウジングから突出している。また、ブロワモータに電源を供給する配線部が、モータハウジングの内外を貫通している。配線部には防水のためゴム製のグロメットが設けられているが、水が浸入しやすい。
【０００６】
また、回転軸とモータハウジングとの間の隙間からも水が浸入しやすい。この水の浸入によりベアリングにおける錆の発生やブロワモータの絶縁性能の低下を引き起こす。
【０００７】
また、ブロワモータの放熱性能を向上させるため、モータ内部の電機子等の内部の部品が外部に露出している開放型（非密閉型）のブロワモータも多用されている。加えてブロワモータの回転速度が高速化され、いわゆるハイパワーモータが使用される傾向にあり、ブロワ装置の防水対策の更なる改良が望まれている。
【０００８】
本発明は、ブロワファンから落下した水が、モータホルダの表面を介してブロワモータに浸入しにくいブロワ装置を提供することを目的とする。
【０００９】
従来技術として列挙された特許文献の記載内容は、この明細書に記載された技術的要素の説明として、参照によって導入ないし援用することができる。
【課題を解決するための手段】
【００１０】
本発明は上記目的を達成するために、下記の技術的手段を採用する。すなわち、請求項１に記載の発明では、モータホルダ（１）と、ブロワモータ（３０）と、リング状カバー（３）と、ブロワファン（５）とを備える。モータホルダ（１）は、中心部に開口部（２）を有し、この開口部（２）の周りに環状溝部（１ｍ）を有する。ブロワモータ（３０）は、モータ上部（３０ａ）及び回転軸（４）が開口部（２）から突出するように、モータホルダに（１）に取り付けられている。リング状カバー（３）は、開口部（２）の周りで、ブロワモータ（３０）の周囲を覆うようにモータホルダ（１）に取りつけられている。ブロワファン（５）は、ブロワモータの上方で、回転軸（４）に回転中心部が結合されている。
【００１１】
リング状カバー（３）は、スリーブ部（３ｓ）と、フランジ部（３ｆ）と、スカート部（３ｗ）とを備える。スリーブ部（３ｓ）は、ブロワモータ（３０）の周囲をリング状に覆う。フランジ部（３ｆ）は、スリーブ部（３ｓ）の下端から連続して環状に延び、モータホルダ（１）の表面を部分的に覆う。スカート部（３ｗ）は、フランジ部（３ｆ）から環状に突出し、環状溝部（１ｍ）に挿入されている。
【００１２】
この発明によれば、ブロワ装置に浸入した水は、モータホルダ１の表面とリング状カバーとの間から浸み込み、ブロワモータの方に行こうとするが、環状溝部内に挿入された環状のスカート部３ｗによって水の浸入経路がＵ字状に曲げられる。環状溝部内に環状のスカート部が挿入されることによりラビリンス構造が形成され、このラビリンス構造が上記水の浸入経路に介在することにより、ブロワモータへの浸入を阻止できる。また、リング状カバーの上部に達した水は壁状に設けられたスリーブ部を乗り越える必要がありこのスリーブ部によってブロワモータに至る水の浸入が抑制される。
【図面の簡単な説明】
【００１３】
【図１】本発明の一実施形態におけるブロワ装置のブロワモータとブロワファンとの結合部分を示す一部断面斜視図である。
【図２】上記一実施形態に用いたリング状カバーの一部断面図である。
【図３】上記一実施形態に用いたリング状カバーの斜視図である。
【図４】図３における上記スリーブ部のリング状の庇の形状を示す一部拡大図である。
【図５】ブロワモータを収容するモータホルダの穴の周りに環状溝部が形成されている状態を示すモータホルダの斜視図である。
【図６】上記一実施形態におけるモータホルダの開口部にブロワモータを収容し、リング状カバーを被せた状態を示す斜視図である。
【図７】本発明の開発過程におけるブロワ装置のモータ上部と、リング状カバーと、モータホルダとを示す斜視図である。
【図８】上記開発過程のブロワ装置のブロワモータとブロワファンとを示す一部縦断面図である。
【発明を実施するための形態】
【００１４】
（一実施形態）
まず、本発明の一実施形態を説明する前に、この一実施形態の比較例となる本発明の開発過程における非公知のブロワ装置について説明する。
【００１５】
図７及び図８は、本発明の開発過程におけるブロワ装置の構成を図示している。図８は、特許文献１と同タイプの多翼ファンから構成されたブロワファン５をブロワモータ３０の上方で回転させるブロワ装置において、水の進入経路を説明するものである。
【００１６】
図７に示すように、上部が円盤状のモータホルダ１のブロワモータ３０を収納する穴１ｈの開口部２の中にブロワモータ３０が挿入されている。モータ上部３０ａの周囲のモータホルダ１の表面に、このモータホルダ１とは別体のリング状カバー３を上から被せ、モータ上部３０ａへ水が入りにくくしている。
【００１７】
リング状カバー３は、図８のようにブロワモータ３０の周りを取り囲んでいるリング状の帯であり、上端が庇状に折り返され、リング状の帯を登ってきた水を跳ね返している。このリング状カバー３をブロワモータ３０の周囲に被せることにより、ブロワモータ３０の外周とモータホルダ１の穴１ｈの内周との間の隙間を隠すことができ、この隙間に水が入ることを防止できる。
【００１８】
しかし、このようにしても、ブロワモータ３０内部への浸水が免れない場合があった。この水の浸入経路には２つの経路があった。図８において、第１経路Ｒ１はモータホルダ１とリング状カバー３との間の隙間を下から浸み込む経路である。
【００１９】
第２経路Ｒ２は、モータホルダ１とリング状カバー３との外表面を登りモータ上部３０ａ内に浸入する経路である。特に最近のブロワモータ３０は、放熱性を良くし軽量化を図るため、ブロワモータ３０が筒状のモータハウジングで密閉されていない開放型が多用でされる。この場合はより一層、ブロワモータ３０内に水が浸入しやすい。
【００２０】
特に外部からの水が、図８のブロワファン５にかかると、ブロワファン５の中央部は内部にブロワモータ３０が設けられる傘形のスロープ部５２を有する。このため、このスロープ部５２を流れ下った水がブロワファン５の高速回転により霧状となり、上記第１経路Ｒ１及び第２経路Ｒ２を介してブロワモータ３０内に水が浸入しやすい。
【００２１】
なお、スロープ部５２の下端周辺には多数のブレード５ｂが連結されている。またブレード５ｂ同士の上端はリング部５３によって連結され、多翼ファンはリス籠状の形状をしている。
【００２２】
この開発過程で発生した問題にかんがみて構成された一実施形態を、図１〜図６を用いて、以下に説明する。本発明の一実施形態においては、特に上記第１経路Ｒ１、第２経路Ｒ２から水がブロワモータ３０内に浸入し難いブロワ装置を提供する。
【００２３】
図５のように、ブロワ装置はモータホルダ１を有し、このモータホルダ１は、上部が円盤状で中心部に穴１ｈを有しブロワケーシング５ｋにボルト等で取り付けられている。穴１ｈに中には３か所の凹部１ｈ１、１ｈ２、１ｈ３が形成されている。この凹部１ｈ１〜１ｈ３の中に、図示しないフローティングゴムが挿入され、ブロワモータ３０のハウジングがフローティングゴムを介して穴１ｈの中に開口部２から挿入されてモータホルダ１に支持される。フローティングゴムはブロワモータ３０の振動がモータホルダ１更にはブロワケーシング５ｋを介して車室内に侵入するのを防止する。
【００２４】
フローティングゴムを収納するための３か所の凹部１ｈ１〜１ｈ３の周りに環状溝部１ｍが形成されている。穴１ｈの中に開口部２から、図７と同様に、ブロワモータ３０が挿入される。図６のように、ブロワモータ３０の中心からブロワモータ３０の回転軸４が上方に突出している。開口部２からは、回転軸４と共にモータ上部３０ａが突出する。ブロワモータ３０は、永久磁石の界磁を持つ直流整流子モータである。
【００２５】
図６の開口部２の周りのモータホルダ１に取りつけられ、モータ上部３０ａの周囲を覆うリング状カバー３が設けられている。モータホルダ１は、環状溝部１ｍを有する。この環状溝部１ｍの中にリング状カバー３の外周部に壁状に存在する環状のスカート部３ｗが軽圧入されている。軽圧入とは弱い力で圧入することである。これによりリング状カバー３が、モータホルダ１の表面に取り付けられるが、別途、爪やピンによってリング状カバー３とモータホルダ１とを結合させてもよい。
【００２６】
環状溝部１ｍの形状は、リング状カバー３の外周形状に合わせて構成されており、３か所のリング状カバー３の突出部３ｔに沿った非円形（概略三角形）である。この非円形である理由は、環状溝部１ｍが、フローティングゴムが挿入される凹部１ｈ１〜１ｈ３を避けて延在するためである。このように円形でなく非円形とすることにより、環状溝部１ｍの周辺長さをより小さくでき、この結果、リング状カバー３の大きさを小さくできる。また、図３のようにリング状カバー３は、ほとんどフランジ部３ｆがなく、環状溝部１ｍに隣接してスリーブ部３ｓが立ち上がる箇所ができる。なお、フランジ部３ｆ自体はブロワモータ３０への水の浸入防止のために必須のものではない。
【００２７】
図１のようにブロワファン５は、ブロワモータ３０にブロワファン５の回転中心部が結合され、ブロワファン５の下端部がモータホルダ１に面している。図２のように、リング状カバー３の断面形状は、周囲に複数の凹凸部６が形成されモータ上部３０ａを部分的に覆うスリーブ部３ｓを有する。
【００２８】
この凹凸部６は少なくとも一つのリング状の庇部６ｈ１、６ｈ２から形成されている。庇部６ｈ１、６ｈ２は、上下方向に所定の間隔を空けて複数設けられている。
【００２９】
リング状カバー３は、スリーブ部３ｓの下端から連続してモータホルダ１の表面を部分的に覆うフランジ部３ｆを有する。フランジ部３ｆから環状のスカート部３ｗが下側に垂下して形成されている。環状のスカート部３ｗは、モータホルダ１の環状溝部１ｍの中に軽圧入されている。
【００３０】
図１では、フランジ部３ｆの周縁から環状のスカート部３ｗが図１下側に垂下して形成されているが、フランジ部３ｆの周縁の内側から枝別れして、環状のスカート部３ｗが図１下側に垂下して形成されていてもよい。
【００３１】
フランジ部３ｆはモータホルダ１の表面を覆い、モータホルダ１の中心側から外周側に向けて水が流れ落ちるように緩やかに傾斜している。なお、この傾斜は必須ではない。
【００３２】
図１のようにスリーブ部３ｓの断面形状は下側に行くほど肉厚が薄くなる楔状であり、スリーブ部３ｓの内周部３ｓ１は、ブロワモータ３０の外周部３０１に密接している。またスリーブ部３ｓの内周部３ｓ１が密接するブロワモータ３０の外周部３０１は図１の上下方向つまりブロワモータ３０の中心軸３０ｊ（図８と同じ）方向に対して傾斜している。
【００３３】
またスリーブ部３ｓの内周部３ｓ１もブロワモータ３０の中心軸３０ｊ方向に対して傾斜している。一方、環状溝部１ｍ及びこの環状溝部１ｍに軽圧入される環状のスカート部３ｗは、中心軸３０ｊ方向と平行である。よって、環状溝部１ｍ内に環状のスカート部３ｗを挿入して、リング状カバー３をモータホルダ１の上部にとりつけた場合に、スリーブ部３ｓの内周部３ｓ１が、ブロワモータ３０の外周部３０１に対して径方向内側の加圧力を作用させる。これにより、スリーブ部３ｓの内周部３ｓ１が、ブロワモータ３０の外周部３０１に圧接される。
【００３４】
この圧接により、スリーブ部３ｓの内周部３ｓ１と、ブロワモータ３０の外周部３０１との間に隙間がなくなり、この隙間に水が浸入することがない。
【００３５】
モータホルダ１とリング状カバー３とは、それぞれ樹脂成型品である。リング状カバー３の一部分であるスリーブ部３ｓと、凹凸部６と、フランジ部３ｆと、環状のスカート部３ｗとは、同一樹脂材料で連続して成型された一体成型品である。
【００３６】
凹凸部６には、図２〜図３に示すように、複数のリング状の第１庇（ひさし）部６ｈ１と、第２庇部６ｈ２と、この各庇部６ｈ１、６ｈ２の下部に設けられた窪み６ｄ１、６ｄ２が形成されている。最下段の窪み６ｄ２の高さＨ１がその上の窪み６ｄ１の高さより大きく設定されている。これらの形状は、図３、図４、図５においても同様である。
【００３７】
なお、この一実施形態では、複数の庇部６ｈ１、６ｈ２を設けたが、単一の庇部６ｈ１又は６ｈ２で凹凸部６が構成されてもよい。また最下段の第２庇部６ｈ２の径方向突出長さが、上方の第１庇部６ｈ１の径方向突出長さよりも長く形成されている。図２及び図３に示すように、円筒形のスリーブ部３ｓをリング状かつ二重に取り巻いて、複数の庇部６ｈ１、６ｈ２が全周にわたって延在している。
【００３８】
上記一実施形態によれば、モータホルダ１の穴１ｈの開口部２にブロワモータ３０が挿入されている。モータホルダ１の表面から開口部２内のモータ上部３０ａに水１０が浸入する経路には上記した二つの経路がある。
【００３９】
ブロワモータ３０の周囲を、環状にモータホルダ１が取り囲むから上記水１０の侵入経路は、モータホルダ１の外周からリング状カバー３のスリーブ部３ｓの壁を乗り越えて開口部２の中に向かう第２経路Ｒ２を図８と同様に有する。
【００４０】
開口部２の周りに取りつけられブロワモータ３０を覆うリング状カバー３のスリーブ部３ｓは上記第１経路に対して立ちはだかる壁を構成できる。しかもリング状カバー３には、ブロワモータ３０の周りに凹凸部６が形成されているから、庇部６ｈ１、６ｈ２を持つ凹凸部６が壁を登ろうとする水を跳ね返す。図１の矢印Ｙ１のように跳ね返された水１０は、スリーブ部３ｓの下端からモータホルダ１の表面を覆うフランジ部３ｆ又はモータホルダ１の表面を流れ落ちる。
【００４１】
リング状カバー３は、ブロワモータ３０周囲に被せられ、ブロワモータ３０とモータホルダ１との間の隙間を上側（ブロワファン側）から覆い隠している。リング状カバー３は、環状のスカート部３ｗを備える。この環状のスカート部３ｗは、スリーブ部３ｓの下端からモータホルダ１表面を覆うフランジ部３ｆの周縁に連続して形成され、モータホルダ１の環状溝部１ｍ内に軽圧入されている。
【００４２】
よって、モータホルダ１の環状溝部１ｍと、この環状溝部１ｍ内に軽圧入された環状のスカート部３ｗとによってラビリンス構造が形成されている。
【００４３】
フランジ部３ｆの図１下方とモータホルダ１との間の隙間から浸入する図８と同様の第１経路Ｒ１の水を上記ラビリンス構造によって阻止できる。
【００４４】
モータホルダ１は、ブロワファン５を取り囲むブロワケーシング５ｋ（図６）に周知のようにボルト等で結合されている。ブロワファン５は、外周に多数のブレード５ｂを持つ多翼ファンから構成されている。ブロワファン５の中心に図１の天方向から地方向に向かって傘状に広がり、回転軸４が結合されたファン中心部５１を図８と同様に有する。なお、図１では回転軸４もファン中心部５１も共に、より左側に存在するため図示されない。
【００４５】
図８と同様に、この一実施形態では、図８と同様に、ブロワファン５の下面の一部をなし回転軸４が結合されたファン基部５１０を有する。このファン基部５１０からファン基部５１０の一部であるスロープ部５２を流れ下った水が環状のスカート部３ｗの外周側に落下するように環状のスカート部３ｗの位置が設定されている。つまりブロワモータ３０の中心軸３０ｊから環状のスカート部３ｗまでの径方向長さよりもブロワモータ３０の中心軸３０ｊからスロープ部５２の最下端である外周縁５２１までの径方向長さの方が長くなるように寸法が設定されている。フランジ部３ｆは落下してきた水を環状のスカート部３ｗの外周側に導くよう傾斜部３１を有する。なお、この傾斜部は必須の構成要件ではない。
【００４６】
図１及び図５のように、ファン基部５１０の外表面のスロープ部５２の内側に所定の間隔をあけて庇部６ｈ１、６ｈ２がスロープ部５２側に突出して設けられ、最下段の第２庇部６ｈ１が、最も長くスリーブ部６ｓから突出している。
【００４７】
また、凹凸部６は、複数のリング状の庇部６ｈ１、６ｈ２と、この庇部６ｈ１、６ｈ２の下部に設けられた複数の窪み６ｄ１、６ｄ２から形成されている。庇部６ｈ１、６ｈ２と窪み６ｄ１、６ｄ２が設けられたスリーブ部３ｓをよじ登る水は、複数の庇部６ｈ１、６ｈ２を乗り越える必要がある。もっとも下段の窪み６ｄ２の高さＨ１が、最も大きく設定されているため、スリーブ部３ｓに到達した水は、矢印Ｙ１のように、大きなカーブを描いて窪み６ｄ２と第２庇部６ｈ２に跳ね返される。これにより、更に上段の第１庇部６ｈ１を乗り超えようとする水の勢いが大きく減衰される。
【００４８】
ファン基部５１０の一部であるスロープ部５２を流れ下った水が、環状のスカート部３ｗと環状溝部１ｍから構成されたラビリンス構造と、凹凸部６とによりブロワモータ３０に浸入することが阻止される。
【００４９】
図１のように、ブロワファン５の中心に天方向から地方向に向かって傘状に広がるファン基部５１０を有する。ファン基部５１０は図示されないファン中心部５１とスロープ部５２とを有する。このファン基部５１０のスロープ部５２の内側に所定の間隔（３ｍｍ以上）を空けて複数の庇部６ｈ１、６ｈ２が設けられている。よって、最も下段の第２庇部６ｈ２の突出長さが最も大きくても、スロープ部５２が傘状に広がっているため、第１庇部６ｈ１がスロープ部５２の内側に接触することがなく、ブロワファン５の回転を妨げることがない。
【００５０】
このように、スロープ部５２が存在するために、最も下段の第２庇部６ｈ２の突出長さを最も大きく構成できる。このことにより、勢いのある水を、突出長さの長い第２庇部６ｈ２と窪み６ｄ２とで図１及び図４の矢印Ｙ１のように大きな円弧を描かせて跳ね返すことができる。
【００５１】
（一実施形態の作用効果）
上記一実施形態の主な作用効果をまとめると以下の通りである。ブロワファン５から落下した水がモータホルダ１の表面に落下する。更に水は、モータホルダ１表面とリング状カバー３との間から浸み込み、ブロワモータ３０の方に行こうとするが、環状溝部１ｍ内に挿入された環状のスカート部３ｗによって水の浸入経路がＵ字状に曲げられる。環状溝部１ｍ内に環状のスカート部３ｗが挿入されることによりラビリンス構造が形成され、このラビリンス構造が上記水の浸入経路に介在することにより、ブロワモータ３０への浸入を阻止できる。また、リング状カバー３の上部に達した水は、壁状に設けられたスリーブ部３ｓを乗り越える必要がありこのスリーブ部３ｓによってブロワモータ３０に至る水の浸入が抑制される。
【００５２】
庇部６ｈ１又は６ｈ２によってスリーブ部３ｓをよじ登る水が跳ね返られるため、ブロワモータに至る水の浸入が抑制される。
【００５３】
下段の第２庇部６ｈ２を乗り越えても更に第１庇部６ｈ１を乗り越えなければブロワモータ３０に水が浸入しないため、より一層水の浸入を抑制することができる。
【００５４】
スリーブ部３ｓと第１庇部６ｈ１と第２庇部６ｈ２とは、傘状のスロープ部５２に覆われているから、ブロワファン５から落下する水を、スリーブ部３ｓと第１庇部６ｈ１と第２庇部６ｈ２とが直接受けることがなく、ブロワモータ３０に水が浸入しにくい。
【００５５】
第１庇部６ｈ１及び第２庇部６ｈ２は、ブロワファン５のスロープ部５２の下端に当接するとブロワファン５の回転を阻害するため、第１庇部６ｈ１及び第２庇部６ｈ２は、ブロワファン５のスロープ部５２の下端に当接しないようにする必要がある。これに関して、スロープ部５２が傘状に広がっているため、容易に第２庇部６ｈ２の径方向の突出長さを第１庇部６ｈ１の径方向の突出長さよりも長く設定することができる。
そしてこれにより、第２庇部６ｈ２により浸入してきた水を、より確実に大きくはね返すことができる。
【００５６】
モータホルダ１に上からリング状カバー３を組み付け、環状溝部１ｍに環状のスカート部３ｗを挿入したときに、スリーブ部３ｓの内周部３ｓ１がブロワモータ３０の外周部３０１に対して径方向に加圧される。このため、スリーブ部３ｓとブロワモータ３０との間の隙間が無くなり、隙間を介する水の浸入を抑制できる。
【００５７】
（他の実施形態）
上記の実施形態では、本発明の好ましい実施形態について説明したが、本発明は上記した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、更に、特許請求の範囲の記載と均等の意味及び範囲内での全ての変更を含むものである。
【００５８】
ブロワファンは多翼ファン以外の軸流ファンであってもよい。またブロワモータは、ブラシレスモータであってもよい。また本発明は回転数が５０００ｒｐｍ以上の高速回転型のブロワモータを使用したものにおいて特に浸水抑止の必要性があり、本発明の適用が望ましいが、５０００ｒｐｍ以下の回転数のモータに使用してもよい。更に、円筒型のモータハウジングで電機子が覆われている密閉型モータを使用した場合も本発明を適用できる。本発明の適用により、このような密閉型モータでも回転軸がモータハウジングから突出する部分からブロワモータ内部の特にベアリング部に浸水して発錆等を起こすことが抑制できる。
【００５９】
更に、一実施形態ではブロワモータの中心軸３０ｊが垂直である例を示したが、天方向である上方から水がブロワファンにかかる構成であればよい。換言すれば、ブロワモータの中心軸３０ｊが垂直センターと平行でなく４５度程度傾いていても本発明を適用できる。
【符号の説明】
【００６０】
１  モータホルダ
１ｍ  環状溝部
２  開口部
３  リング状カバー
３ｆ  フランジ部
３ｓ  スリーブ部
３ｗ  環状のスカート部
４  回転軸
５  ブロワファン
６  凹凸部
【図１】
2015214939.tif 000003
【図２】
2015214939.tif 000004
【図３】
2015214939.tif 000005
【図４】
2015214939.tif 000006
【図５】
2015214939.tif 000007
【図６】
2015214939.tif 000008
【図７】
2015214939.tif 000009
【図８】
2015214939.tif 000010